(57)【要約】【課題】簡単な構成により、電線が挿入しやすいパッキン取付機構を提供することを目的とする。【解決手段】端部が開口した透光性カバーであって、開口を形成する開口部の縁部にパッキン取付溝が形成された透光性カバーと、開口部を密閉する防水パッキン３６０とを備え、防水パッキン３６０は、開口部を塞ぐ密閉部３６１と、密閉部３６１から突き出した電線挿入部３６３であって、パッキン取付溝に圧入され、透光性カバーの外部から内部に貫通する電線挿入孔３６３ａが形成されるとともに、電線挿入部３６３の外周から電線挿入孔３６３ａまで切り込まれたスリット３６３ｂが形成された電線挿入部３６３とを備える。【選択図】図７
2015167080.tif 000002
【特許請求の範囲】
【請求項１】
端部が開口した管状部材であって、開口を形成する開口部の縁部に切り欠きが形成された管状部材と、
前記開口部を密閉するパッキンと
を備え、
前記パッキンは、
前記開口部を塞ぐ密閉部と、
前記密閉部から突き出した凸部であって、前記切り欠きに圧入され、前記管状部材の外部から内部に貫通する貫通孔が形成されるとともに、外周から前記貫通孔まで切り込まれたスリットが形成された凸部と
を備えることを特徴とするパッキン取付機構。
【請求項２】
前記凸部は、先端部から前記貫通孔まで切り込まれた前記スリットが形成されたことを特徴とする請求項１に記載のパッキン取付機構。
【請求項３】
端部が開口した管状部材であって、開口を形成する開口部を有する管状部材の前記開口部を密閉するパッキンにおいて、
前記開口部を塞ぐ密閉部と、
前記密閉部から突き出した凸部であって、前記開口部の縁部に形成された切り欠きに圧入され、前記管状部材の外部から内部に貫通する貫通孔が形成されるとともに、外周から前記貫通孔まで切り込まれたスリットが形成された凸部と
を備えることを特徴とするパッキン。
【請求項４】
請求項１または２に記載のパッキン取付機構と、
光源素子が実装され、前記管状部材に収納される基板と
を備えることを特徴とする光源ユニット。
【請求項５】
請求項１または２に記載のパッキン取付機構と、光源素子が実装され、前記管状部材に収納される基板とを備える光源ユニットと、
前記光源素子を点灯する点灯装置と、
前記光源ユニットと、前記点灯装置とを取り付ける器具本体と
を備えることを特徴とする照明器具。
【発明の詳細な説明】
【技術分野】
【０００１】
本発明は、パッキン取付機構、パッキン、光源ユニット及び照明器具に関するものである。特に、透光性カバーの端部を密閉するパッキンと、このパッキンを用いるパッキン取付機構と、このパッキン取付機構を備える光源ユニットと、この光源ユニットを備える照明器具とに関する。
【背景技術】
【０００２】
筒状の外郭カバーの端部にパッキンを挿入して防水する技術がある（例えば、特許文献１参照）。また、パッキンに電線を挿入させ、点灯装置の防水性能を高める技術がある（例えば、特許文献２〜４参照）。
【先行技術文献】
【特許文献】
【０００３】
【特許文献１】特開２００６−１２７５１号公報
【特許文献２】特開２０１２−２１６４７７号公報
【特許文献３】特開２０１３−２５４５７９号公報
【特許文献４】特開２０１３−２４３１４９号公報
【発明の概要】
【発明が解決しようとする課題】
【０００４】
従来技術では、電線を小口方向よりパッキンに設けられた貫通孔に挿入していた為、組み立て性が悪くなるという課題があった。
【０００５】
本発明は、このような課題を解決するためになされたもので、簡単な構成により、電線が挿入しやすいパッキン取付機構を提供することを目的とする。
【課題を解決するための手段】
【０００６】
本発明に係るパッキン取付機構は、端部が開口した管状部材であって、開口を形成する開口部の縁部に切り欠きが形成された管状部材と、前記開口部を密閉するパッキンとを備え、前記パッキンは、前記開口部を塞ぐ密閉部と、前記密閉部から突き出した凸部であって、前記切り欠きに圧入され、前記管状部材の外部から内部に貫通する貫通孔が形成されるとともに、外周から前記貫通孔まで切り込まれたスリットが形成された凸部とを備えることを特徴とする。
【発明の効果】
【０００７】
本発明に係るパッキン取付機構によれば、防水パッキンに電線を挿入し易くすることができるという効果を奏する。
【図面の簡単な説明】
【０００８】
【図１】実施の形態１に係る照明器具１０００の斜視図である。
【図２】実施の形態１に係る照明器具１０００において反射板４００を外した分解斜視図である。
【図３】実施の形態１に係る照明器具１０００において枠体５００を外した分解斜視図である。
【図４】実施の形態１に係る光源ユニット３００を示す図であり、（ａ）は光源ユニット３００の分解斜視図、（ｂ）は（ａ）の光源ユニット３００を組み立てた状態の組立図である。
【図５】実施の形態１に係る透光性カバー３２０を端部から見た部分斜視図である。
【図６】実施の形態１に係るパッキン取付溝３２１ａの形状の他の例を示す図である。
【図７】実施の形態１に係る防水パッキン３６０の斜視図である。
【図８】実施の形態１に係る防水パッキン３６０を示す図であり、図７とは異なる方向から見た斜視図である。
【図９】実施の形態１に係る防水パッキン３６０を図８のＰ１から見た側面図である。
【図１０】実施の形態１に係る防水パッキン３６０を透光性カバー３２０に取り付けた場合に図７のＰ２から見た平面図である。
【図１１】実施の形態２に係るスリット３６３ｂの形状のバリエーション（ａ）〜（ｄ）を示す図である。
【発明を実施するための形態】
【０００９】
以下、本発明の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明器具１０００の斜視図である。図２は、本実施の形態に係る照明器具１０００において反射板４００を外した分解斜視図である。図３は、本実施の形態に係る照明器具１０００において枠体５００を外した分解斜視図である。
【００１１】
照明器具１０００は、例えば、天井面、壁面等の被取付部に取り付けられる。本実施の形態では、天井面を被取付部として説明し、被取付部側を天井面側あるいは上方（上側）とし、被取付部側の反対側を照射方向側あるいは下方（下側）として説明する。なお、壁面などを被取付部とした場合でも本実施の形態は適用することができる。
【００１２】
図１〜図３に示すように、照明器具１０００は、器具本体１００と、この器具本体１００に取り付けられる点灯装置２００、光源ユニット３００、反射板４００、枠体５００とを有する。
【００１３】
器具本体１００は、板金により形成されている。図３に示すように、器具本体１００は、正方形状をなす本体取付部１１０と、この本体取付部１１０の四辺から折り曲げられて形成される本体周部１２０からなる。なお、本体取付部１１０は、正方形状でなくてもよい。本体取付部１１０は、長方形、多角形、円形、楕円形等、その他の形状であっても構わない。
【００１４】
図３に示すように、本体取付部１１０は、点灯装置２００が取り付けられる点灯装置取付部１１１と、光源ユニット３００が取り付けられる光源ユニット取付部１１２と、天井などの被取付部に取り付けられる天井取付部１１３と、反射板４００が取り付けられる反射板取付部１１４と、枠体５００が取り付けられる枠体取付部１１５とを備える。
【００１５】
本体周部１２０は、本体取付部１１０の周縁部がＬ字状に折り曲げられて形成され、器具本体１００（本体取付部１１０）の撓みに対する強度を増すための機能を有する。
【００１６】
点灯装置２００は、点灯装置取付部１１１に取り付けられる。点灯装置２００は、商用電源等から供給される電力が入力され、この電力から光源ユニット３００に供給する光源ユニット用の二次電力を生成し、生成した二次電力を光源ユニット３００へ電線（以下、出力電線６００（図８参照）という）を介して供給する。
【００１７】
光源ユニット３００は、光源ユニット取付部１１２に取り付けられる。この光源ユニット取付部１１２の詳細な構造については後で説明する。
【００１８】
反射板４００は、板金により形成される。図２に示すように、反射板４００は、板金がＶ字形状に折り曲げられて形成されている。この反射板４００は、器具本体１００を被取付部に取り付けるときに固定する天井取付部１１３を隠すように、反射板取付部１１４に取り付けられる。
【００１９】
枠体５００は、板金により形成される。図３に示すように、板金が折り曲げられて形成された４つの枠材が、それぞれの端部を突き合わせて取り付けられて「ロ」の字状に形成されている。この枠体５００は、本体周部１２０を覆うように、枠体取付部１１５に取り付けられる。
なお、枠体は「ロ」の字状でなくてもよい。器具本体１００の形状に応じた形状であれば、他の形状でも構わない。
【００２０】
次に、光源ユニット３００の詳細構造について説明する。
図４は、本実施の形態に係る光源ユニット３００を示す図であり、（ａ）は光源ユニット３００の分解斜視図、（ｂ）は（ａ）の光源ユニット３００を組み立てた状態の組立図である。
図５は、本実施の形態に係る透光性カバー３２０を端部から見た部分斜視図である。
図６は、本実施の形態に係るパッキン取付溝３２１ａの形状の他の例を示す図である。
図７は、本実施の形態に係る防水パッキン３６０の斜視図である。
図８は、本実施の形態に係る防水パッキン３６０を示す図であり、図７とは異なる方向から見た斜視図である。
【００２１】
図４（ａ）（ｂ）及び図５に示すように、光源ユニット３００は、ユニットベース３１０と、透光性カバー３２０と、この透光性カバー３２０に収納されるＬＥＤモジュール３４０とを備える。
透光性カバー３２０は、端部が開口した管状部材であって、開口を形成する開口部３２６を備える管状部材である。
【００２２】
また、光源ユニット３００は、ユニットベース３１０の両端部及び透光性カバー３２０の両端部の開口部３２６に取り付けられ、透光性カバー３２０をユニットベース３１０に固定する２つの端部カバー３５０を備える。さらに、この端部カバー３５０と透光性カバー３２０との間に介在するように取り付けられる２つの防水パッキン３６０を備える。
【００２３】
ユニットベース３１０は、板金により形成される。ユニットベース３１０は、板金が「コ」の字状に折り曲げられている。ユニットベース３１０は、細長い長方形状の取付ベース部３１１と、この取付ベース部３１１の短手方向に２つのベース側部３１２が形成される。
取付ベース部３１１の両端部には、点灯装置２００から引き出される出力電線６００（図１０参照）を引き回すための切り欠きをなす電線挿入用切欠部３１１ａが形成される。
ベース側部３１２の両端部には、端部カバー３５０が取り付けられる端部カバー取付孔３１２ａが形成される。
【００２４】
透光性カバー３２０は、例えば、乳白樹脂（アクリル）により形成され、両端が開口した中空状をなしている。透光性カバー３２０は、例えば、中空のかまぼこ形状であり、断面半円状、断面山状である。透光性カバー３２０は、乳白樹脂（アクリル）の他の樹脂、例えば、ポリカーボネード、ポリカーボネードを含む混合樹脂などでも構わない。
【００２５】
図５に示すように、透光性カバー３２０は、取付ベース部３１１に接触する平板状の接触部３２１と、この接触部３２１の短手方向両端から立ち上がる立上部３２２とを備える。また、この立上部３２２から内側方向（内部方向）に突出し、ＬＥＤモジュール３４０を接触部３２１へ押し付ける支持部３２３と、この支持部３２３からさらに接触部３２１とは反対側に立ち上がるとともに、曲面を形成する透光部３２４とを有する。
なお、開口部３２６には、後述する防水パッキン３６０の突き出し部３６２（図７参照）が挿入されるため、支持部３２３は透光性カバー３２０の端部から所定距離だけ奥まった位置から形成される。所定距離とは突き出し部３６２（図７参照）の厚みと同等の距離か、突き出し部３６２の厚みよりやや長い距離である。
【００２６】
なお、透光性カバー３２０の断面形状は半円状でなくてもよい。接触部３２１が形成されている形状であれば、三角形状、四角形状、多角形状、不定型でも構わない。
【００２７】
接触部３２１の両端部には、防水パッキン３６０が嵌め込まれるパッキン取付溝３２１ａが形成される。パッキン取付溝３２１ａは、開口部３２６の縁部に形成された切り欠きである。
パッキン取付溝３２１ａには、後述する防水パッキン３６０の電線挿入部３６３（凸部）が嵌め込まれる。パッキン取付溝３２１ａの形状は、正方形、あるいは、長方形である。パッキン取付溝３２１ａの形状が長方形の場合、その長方形の辺のうち透光性カバー３２０の短手方向に沿った辺が長辺であり、透光性カバー３２０の長手方向に沿った辺が短辺であることが好ましい。
パッキン取付溝３２１ａは、対向する一対の側縁部３２１１と、一対の側縁部３２１１を結ぶ奥縁部３２１２とを有する。
【００２８】
図６に示すように、パッキン取付溝３２１ａの形状は、入口が広く奥にいくにしたがって狭くなる台形形状でもよい。
【００２９】
特に、本実施の形態のように、スリット３６３ｂ（図７参照）の切り込みの入り口をパッキン取付溝３２１ａの奥側（電線挿入部３６３の先端部３６３ｄ）となるようにした場合、図６のパッキン取付溝３２１ａの形状は効果的である。図８に示すように、パッキン取付溝３２１ａの切り込み口３２１３を奥縁部３２１２よりも広くする。つまり、パッキン取付溝３２１ａに入り込むにしたがって狭くなるようにすると、電線挿入部３６３をパッキン取付溝３２１ａに挿入しやすくできるとともに、電線挿入部３６３をパッキン取付溝３２１ａに挿入したときは、より電線挿入部３６３を外周から内側へ押し付ける押圧を強くすることができる。したがって、スリット３６３ｂが押圧される力が強くなるので、スリット３６３ｂの密着性が向上し、防水性能を高めることができる。
【００３０】
ＬＥＤモジュール３４０は、長方形状のＬＥＤ基板３４２を備える。
ＬＥＤ基板３４２には、複数のＬＥＤ３４１が実装される。また、ＬＥＤ基板３４２には、複数のＬＥＤ３４１に電力を供給するための出力電線６００（図７参照）が接続されるコネクタ３４３が実装される。
【００３１】
端部カバー３５０は、ユニットベース３１０の両端部と、透光性カバー３２０の両端部の開口部３２６との両方を塞ぐように取り付けられる形状をなしている。端部カバー３５０は、光源ユニット取付部１１２（図３参照）に固定される取付部３５１と、この取付部３５１から立ち上がり、前述のようにユニットベース３１０の端部と透光性カバー３２０の端部の開口部３２６とを覆って塞ぐ閉塞部３５２とを有する。
【００３２】
閉塞部３５２は、ユニットベース３１０（ベース側部３１２）の端部カバー取付孔３１２ａに係合する取付凸部３５２ａと、防水パッキン３６０が嵌め込まれる防水パッキン取付部３５２ｂとを有する。
【００３３】
防水パッキン３６０は、シリコンなどの弾性を有する素材により形成される。防水パッキン３６０は、透光性カバー３２０の端部の形状（開口部３２６）と略同一の形状をなしている。防水パッキン３６０は、開口部３２６を密閉するパッキンの一例である。
【００３４】
図７及び図８に示すように、防水パッキン３６０は、透光性カバー３２０の端部の端面と接触し、開口部３２６を塞ぐ密閉部３６１と、この密閉部３６１から突き出して透光性カバー３２０の内壁に密着する突き出し部３６２と、同じく密閉部３６１から突き出し、パッキン取付溝３２１ａ（切り欠き）に嵌め込まれる電線挿入部３６３（凸部）とを有する。電線挿入部３６３は、先端部３６３ｄからパッキン取付溝３２１ａに圧入される。
【００３５】
密閉部３６１は、その形状が透光性カバー３２０の端面の開口の形状と同様の形状であり、大きさは端面の外周と同一、あるいはやや大きい。これにより、防水パッキン３６０により確実に透光性カバー３２０の端面の開口を塞ぐことができる。
【００３６】
突き出し部３６２は、密閉部３６１から突出して、透光性カバー３２０の端面の開口に挿入される。このとき、突き出し部３６２の側面部３６２ａは、透光性カバー３２０の内壁と密着し、透光性カバー３２０の開口部３２６を確実に密閉する。
【００３７】
図８に示すように、電線挿入部３６３は、点灯装置２００と光源ユニット３００（ＬＥＤモジュール３４０）とを接続する出力電線６００が挿入される電線挿入孔３６３ａ（貫通孔）と、この電線挿入孔３６３ａから防水パッキン３６０の外周に繋がるように切り込みされたスリット３６３ｂとを有する。
【００３８】
電線挿入部３６３は、略直方体をなし、突き出した先端の面を先端部３６３ｄ、ユニットベース３１０側の面を凸部上面部３６３ｆ、照射方向側の面を凸部下面部３６３ｇ、両側の側面を凸部側面部３６３ｅとする。
【００３９】
電線挿入部３６３は、密閉部３６１から突き出し、先端部３６３ｄからパッキン取付溝３２１ａ（切り欠き）に圧入され、透光性カバー３２０の（管状部材）の外部から内部に貫通する電線挿入孔３６３ａ（貫通孔）が形成されるとともに、防水パッキン３６０の外周から電線挿入孔３６３ａまで切り込まれたスリット３６３ｂが形成された凸部の一例である。本実施の形態では、スリット３６３ｂは、先端部３６３ｄから電線挿入孔３６３ａまで切り込まれているが、先端部３６３ｄから切り込まれていなくてもよい。出力電線６００を挿入できれば防水パッキン３６０の外周のどの位置から切り込まれていても構わない。凸部側面部３６３ｅから切り込まれていても構わない。
【００４０】
電線挿入孔３６３ａは、出力電線の直径よりも狭い直径の穴である。
スリット３６３ｂは、直線状の切り込みであり、電線挿入部３６３がパッキン取付溝３２１ａに嵌め込まれたとき、切り込みに対する両側面側（両側の凸部側面部３６３ｅ）が押されることで、切り込み（スリット３６３ｂ）の両側面は密着される。
また、電線挿入孔３６３ａの両側の凸部側面部３６３ｅには、パッキン取付溝３２１ａの側縁部３２１１（図５参照）が挿入されるカバー挿入溝３６３ｃが形成される。
【００４１】
以上のように、密閉部３６１と突き出し部３６２と電線挿入部３６３とを備える防水パッキン３６０と、パッキン取付溝３２１ａを備える透光性カバー３２０とによりパッキン取付機構７００が構成される。
【００４２】
次に、光源ユニット３００の組み立てについて説明する。
まず、ＬＥＤモジュール３４０の両端部を支持部３２３と接触部３２１との間に挿入し、ＬＥＤモジュール３４０を透光性カバー３２０の内部に挿入する。これにより、図４に示すように、ＬＥＤモジュール３４０が透光性カバー３２０に収納される。
【００４３】
次に、出力電線６００をＬＥＤモジュール３４０のコネクタ３４３に接続する。そして、出力電線６００をスリット３６３ｂから挿入していき、電線挿入孔３６３ａに入り込むまで出力電線６００を挿入して、出力電線６００を防水パッキン３６０に取り付ける。これにより、図７に示すように、出力電線６００が防水パッキン３６０に取り付けられる。
この状態にしてから、防水パッキン３６０を透光性カバー３２０の端部の開口部３２６に取り付け、突き出し部３６２を透光性カバー３２０の内壁に接触するように押し込むとともに、パッキン取付溝３２１ａに電線挿入部３６３を嵌め込む。
【００４４】
図９は、本実施の形態に係る防水パッキン３６０を図８のＰ１から見た側面図である。
図１０は、本実施の形態に係る防水パッキン３６０を透光性カバー３２０に取り付けた場合に図７のＰ２から見た平面図である。
図９において、点線は透光性カバー３２０を示している。２点鎖線はＬＥＤモジュール３４０を示している。
また、図１０においては、出力電線６００は省略している。
【００４５】
図９に示すように、電線挿入部３６３において、カバー挿入溝３６３ｃより照射方向側の部分は、突き出し部３６２から突き出すように形成される。また、カバー挿入溝３６３ｃとカバー挿入溝３６３ｃからユニットベース３１０側の部分は密閉部３６１から突き出すように形成される。
【００４６】
図１０に示すように、電線挿入部３６３がパッキン取付溝３２１ａに圧入される際には、パッキン取付溝３２１ａの両側の側縁部３２１１により、電線挿入部３６３に対してＰ４とＰ５との両側から力が加わる。これにより、スリット３６３ｂはより密着し、密閉性が向上する。
また、電線挿入部３６３の先端部３６３ｄとパッキン取付溝３２１ａの奥縁部３２１２とが圧入により密着し、密閉性が向上する。
【００４７】
このように、スリット３６３ｂによって出力電線６００を電線挿入孔３６３ａに取り付け易くすることができるとともに、電線挿入部３６３をパッキン取付溝３２１ａに嵌め込むことによって、スリット３６３ｂが押されて密着性が向上し、防水性を高めることができる。
【００４８】
次に、透光性カバー３２０の接触部３２１をユニットベース３１０の取付ベース部３１１に接触させる。このとき、出力電線は取付ベース部３１１の電線挿入用切欠部３１１ａに挿入する。
【００４９】
この状態にしてから、端部カバー３５０を透光性カバー３２０及びユニットベース３１０の両端部に取り付け、取付凸部３５２ａを端部カバー取付孔３１２ａに嵌め込み、係合させる。このとき、端部カバー３５０は透光性カバー３２０の端部を覆うように取り付けられるので、透光性カバー３２０をユニットベース３１０に固定することができるとともに、防水パッキン３６０の密閉部３６１を透光性カバー３２０の端部（開口部３２６）に押し当てるので、防水性能を高めることができる。
【００５０】
このようにして組み上がった光源ユニット３００を器具本体１００の光源ユニット取付部１１２に取り付けて、照明器具１０００を組み上げる。
【００５１】
以上のように、本実施の形態のパッキン取付機構７００を用いれば、出力電線６００を防水パッキン３６０に取り付け易くすることができるとともに、照明器具１０００を組み立てた後は防水性能を高めることができる。
また、本実施の形態における防水パッキン３６０を用いれば、保護等級ＩＰ表示（ＪＩＳ  Ｃ０９２０：２００３またはＩＥＣ６０５２９に基づいて規定された固形異物、水に対する電気機器、キャビネットの保護等級）であるＩＰ２３（直径１２．５ｍｍよりも大きい固形物の侵入に対する保護及び鉛直から６０°以内の噴霧水に落下する水によって有害な影響を受けないこと。）を満足させることができる。
【００５２】
実施の形態２．
本実施の形態では、主に、実施の形態１と異なる点について説明する。
実施の形態１では、スリット３６３ｂの形状が直線状であり、かつ、２本のスリット３６３ｂが平行な場合について説明した。本実施の形態では、スリット３６３ｂの形状について、実施の形態１以外の形状のバリエーションについて説明する。
本実施の形態において、実施の形態１で説明した機能部と同様の構成部については同一の符号を付し、その説明を省略する。
【００５３】
図１１は、本実施の形態に係るスリット３６３ｂの形状のバリエーション（ａ）〜（ｄ）を示す図である。
図１１（ａ）〜（ｄ）では、電線挿入部３６３の凸部上面部３６３ｆと、先端部３６３ｄとを示している。
【００５４】
図１１（ａ）に示すように、２本の直線状のスリット３６３ｂの間隔を、電線挿入孔３６３ａに近づくにしたがって狭くなるように形成してもよい。あるいは、２本の直線状のスリット３６３ｂの間隔を、電線挿入孔３６３ａに近づくにしたがって広くなるように形成してもよい。
あるいは、図１１（ａ）の点線に示すように、先端部３６３ｄの両側の角部を面取りしても良い。これにより、電線挿入部３６３をパッキン取付溝３２１ａに挿入し易くなる。
【００５５】
図１１（ｂ）に示すように、スリット３６３ｂの形状をギザギザ形状にしてもよい。
また、図１１（ｃ）に示すように、スリット３６３ｂの形状を波線状にしてもよい。
このように、スリット３６３ｂをギザギザあるいは波線状にすることによって、電線挿入部３６３がパッキン取付溝３２１ａに嵌め込まれたとき、線接触部分を多くすることができる。線接触部分を作ることによって、その線接触部分に応力が集中するので、密着性が高まり防水性能を高めることができる。また、その線接触部分が多くなるので、より防水性能を高くすることができる。
【００５６】
また、図１１（ｄ）に示すように、スリット３６３ｂの切り込みを出力電線６００の挿通方向を直線状とし、組み立て時の出力電線の挿入方向をギザギザあるいは波線状にしてもよい。この場合も電線挿入部３６３をパッキン取付溝３２１ａに嵌め込んだとき、スリット３６３ｂの線接触部分を多くすることができるので、防水性能を高めることができる。
【００５７】
このように、本実施の形態の防水パッキン３６０を用いれば、より防水性能を高めることができる。
【００５８】
なお、実施の形態１，２の防水パッキン３６０及びパッキン取付機構７００は、光源ユニット３００のみではなく、点灯装置２００を防水仕様にするための防水ケースに取り付けるようにしてもよい。あるいは、照明器具１０００の外部から引き込まれる電源線に対して防水対策するために用いてもよい。
【００５９】
以上、本発明の実施の形態について説明したが、これらの実施の形態のうち、２つを組み合わせて実施しても構わない。あるいは、これらの実施の形態のうち、１つを部分的に実施しても構わない。あるいは、これらの実施の形態のうち、２つを部分的に組み合わせて実施しても構わない。なお、本発明は、これらの実施の形態に限定されるものではなく、必要に応じて種々の変更が可能である。
【符号の説明】
【００６０】
１００  器具本体、１１０  本体取付部、１１１  点灯装置取付部、１１２  光源ユニット取付部、１１３  天井取付部、１１４  反射板取付部、１１５  枠体取付部、１２０  本体周部、２００  点灯装置、３００  光源ユニット、３１０  ユニットベース、３１１  取付ベース部、３１１ａ  電線挿入用切欠部、３１２  ベース側部、３１２ａ  端部カバー取付孔、３２０  透光性カバー、３２１  接触部、３２１ａ  パッキン取付溝、３２２  立上部、３２３  支持部、３２４  透光部、３２６  開口部、３４０  ＬＥＤモジュール、３４１  ＬＥＤ、３４２  ＬＥＤ基板、３４３  コネクタ、３５０  端部カバー、３５１  取付部、３５２  閉塞部、３５２ａ  取付凸部、３５２ｂ  防水パッキン取付部、３６０  防水パッキン、３６１  密閉部、３６２  突き出し部、３６２ａ  側面部、３６３  電線挿入部、３６３ａ  電線挿入孔、３６３ｂ  スリット、３６３ｃ  カバー挿入溝、３６３ｄ  先端部、３６３ｅ  凸部側面部、３６３ｆ  凸部上面部、３６３ｇ  凸部下面部、４００  反射板、５００  枠体、６００  出力電線、７００  パッキン取付機構、１０００  照明器具、３２１１  側縁部、３２１２  奥縁部、３２１３  切り込み口。
【図１】
2015167080.tif 000003
【図２】
2015167080.tif 000004
【図３】
2015167080.tif 000005
【図４】
2015167080.tif 000006
【図５】
2015167080.tif 000007
【図６】
2015167080.tif 000008
【図７】
2015167080.tif 000009
【図８】
2015167080.tif 000010
【図９】
2015167080.tif 000011
【図１０】
2015167080.tif 000012
【図１１】
2015167080.tif 000013